(57)【要約】【課題】外径寸法を大きくすることなく、ユニットの総厚みを薄くすることができ、それによってカメラ全体を小形化できるとともにバリア開閉駆動も円滑に行えるレンズバリア機構を提供する。【解決手段】円環状のバリア受地板８の軸部８ａ，８ｂに、内側バリア板４，５と外側バリア板２，３を回動可能に取り付け、これらバリア板をレンズ飾枠１で挟み込みバリア受地板８に取り付ける。バリア受地板８の円環部の内側にバヨネット係合によりバリア駆動板９を取り付ける。バリア駆動板９とバリア受地板８の前面は同一面である。内側バリア４，５の背面はバリア駆動板９の前面に接し、駆動アーム４ａ，５ａは直にバリア駆動板９に係合する。レンズバリア機構のユニットの厚さは、バリア受地板８の厚さ分薄くなり、バリア板の回転面に対する傾きも少なくなる。【選択図】　　　　図１
2004012567.tif 000002
【特許請求の範囲】
【請求項１】
カメラ未使用時に撮影レンズの前面を覆って保護するため複数枚のバリア板を開閉動作させるコンパクトカメラのレンズバリア機構において、
バリア板が開く方向に回転習性が与えられている円環状のバリア駆動板と、
前記バリア駆動板の円環部の外周側であって、前記バリア駆動板の前面より突出しないようにバヨネット係合する円環状のバリア受地板と、
外側バリア板と、
前記外側バリア板と共通軸で回動可能であって、開閉方向に回動すると前記外側バリア板も連れて回動し、前記バリア駆動板に係合する駆動アームを有する内側バリア板と、
前記内側バリア板を閉じる方向に付勢し、前記バリア駆動板の回転習性の力より弱い回転習性を与えるバリアばね手段と、
前記バリア駆動板，バリア受地板および内側，外側バリア板の一部を覆い隠すレンズ飾枠とを備え、
前記バリア駆動板を解放することにより前記バリア駆動板の回転習性に従って回転させて前記駆動アームを押し前記バリアばね手段に抗して前記内側バリア板および外側バリア板を撮影レンズ前面より退避させ、
前記バリア駆動板を該回転習性に抗してバリア閉成方向に回転させることにより、前記駆動アームを解放し前記バリアばね手段の回転習性により前記撮影レンズ前面を前記内側バリア板および外側バリア板で覆うように構成したことを特徴とするコンパクトカメラのレンズバリア機構。
【請求項２】
前記円環状のバリア駆動板の前面と、前記内側バリア板の背面とが直接接するように構成したことを特徴とする請求項１記載のコンパクトカメラのレンズバリア機構。
【発明の詳細な説明】
【０００１】
【発明の属する技術分野】
本発明は、カメラ未使用時に撮影レンズを保護するためのコンパクトカメラのレンズバリア機構に関する。
【０００２】
【従来の技術】
コンパクトカメラなどでは、未使用時、埃が付着したり傷が付いたりすることを防止するために撮影レンズ前面を覆うレンズバリアを設けることが一般的である。
従来のレンズバリア機構は、レンズ鏡胴に固定されたバリア受地板全体でバリア板を受け、バリア駆動板を積層させるようにバリア受地板に重ねていた。
【０００３】
図５は、従来のレンズバリア機構の一部断面図であり、図６および図７は、図５のレンズバリア機構のバリア受地板とバリア駆動板の関係を示す背面および前面斜視図である。
円環状のバリア受地板２０は、内側バリア板２４，外側バリア板２３およびレンズ飾枠２２を取り付けるための円環部２０ａと、円環部２０ａの内側部に延設されたバヨネット係合円環部２０ｂより構成されている。内側バリア板２４および外側バリア板２３を開閉駆動するバリア駆動板２１は、バヨネット係合円環部２０ｂにバヨネット係合している。
【０００４】
レンズバリア機構のユニット組体は、図５に示すようにレンズ飾枠２２，外側バリア板２３，内側バリア板２４，バリア受地板２０およびバリア駆動板２１を重ねた厚さとなる。また、バリア駆動板２１はバヨネット係合円環部２０ｂにバヨネット係合し、内側バリア板２４の駆動アーム２４ａはバリア受地板２０を貫いてバリア駆動板２１に係合する構造である。
【０００５】
【発明が解決しようとする課題】
従来のレンズバリア機構は、上述したようにレンズバリアユニットの総厚みがすべての部材の厚さの合計寸法となり、これがレンズ鏡胴全体の厚みを小さくできない原因の１つとなっていた。また、駆動アームはバリア受地板の厚さを貫いてバリア駆動板２１に係合し長くなっているため、バリア駆動板を開閉駆動させると、バリア板が光軸の直角面に対し傾きを生じるという欠点があった。
本発明は上記欠点を解決するもので、その目的は、外径寸法を大きくすることなく、ユニットの総厚みを薄くすることができ、それによってカメラ全体を小形化できるとともにバリア開閉駆動も円滑に行えるレンズバリア機構を提供することにある。
【０００６】
【課題を解決するための手段】
前記目的を達成するために本発明によるコンパクトカメラのレンズバリア機構は、カメラ未使用時に撮影レンズの前面を覆って保護するため複数枚のバリア板を開閉動作させるコンパクトカメラのレンズバリア機構において、バリア板が開く方向に回転習性が与えられている円環状のバリア駆動板と、前記バリア駆動板の円環部の外周側であって、前記バリア駆動板の前面より突出しないようにバヨネット係合する円環状のバリア受地板と、外側バリア板と、前記外側バリア板と共通軸で回動可能であって、開閉方向にに回動すると前記外側バリア板も連れて回動し、前記バリア駆動板に係合する駆動アームを有する内側バリア板と、前記内側バリア板を閉じる方向に付勢し、前記バリア駆動板の回転習性の力より弱い回転習性を与えるバリアばね手段と、前記バリア駆動板，バリア受地板および内側，外側バリア板の一部を覆い隠すレンズ飾枠とを備え、前記バリア駆動板を解放することにより前記バリア駆動板の回転習性に従って回転させて前記駆動アームを押し前記バリアばね手段に抗して前記内側バリア板および外側バリア板を撮影レンズ前面より退避させ、前記バリア駆動板を該回転習性に抗してバリア閉成方向に回転させることにより、前記駆動アームを解放し前記バリアばね手段の回転習性により前記撮影レンズ前面を前記内側バリア板および外側バリア板で覆うように構成されている。
また、本発明は、前記円環状のバリア駆動板の前面と、前記内側バリア板の背面とが直接接するように構成されている。
【０００７】
【作用】
上記構成によれば、バリア受地板の内側にバリア駆動板が同一平面上にバヨネット係合する構造であるため、バリア駆動板の厚みはユニットまたはカメラの厚みに影響を与えることはなくカメラの小形化を推進できる。また、バリア板から延びている駆動アームも短くすることができ、力の作用点がバリア板側に近くなる。バリア板開閉動作時の傾きに作用する力は少なくなり、バリア板の傾きの度合を少なくできる。
【０００８】
【発明の実施の形態】
以下、図面を参照して本発明の実施の形態を詳しく説明する。
図１は、本発明によるレンズバリア機構の実施の形態を示す図で、関連部品の展開斜視図である。この実施の形態はバリア板４枚を使用した例である。
本発明によるレンズバリア機構は、レンズ飾枠１，外側バリア板２，３，内側バリア板４，５およびバリア駆動板９をバリア受地板８に組み込むことにより構成される。外側バリア板２および３同士ならびに内側バリア板４および５同士はそれぞれ同じ形状である。
【０００９】
バリア受地板８の円環部の前面側には軸部８ａ，８ｂおよび雌ネジ部８ｃ，８ｄが設けられている。
軸部８ａ，８ｂにバリアばね６，７を挿通した後、内側バリア板４，５の孔４ｂ，５ｂを通し、さらに外側バリア板２，３の孔２ｃ，３ｃを通す。そして、レンズ飾枠１で、内側および外側バリア板を挟み込み、ビス１１，１２を雌ネジ部８ｃ，８ｄに螺合することによりバリア板を取り付ける。
バリアばね６，７はその一方端がバリア受地板８に、他方端が内側バリア板４，５にそれぞれ係止され、内側バリア板４，５を閉じる方向に付勢している。
【００１０】
バリア受地板８の円環の内側部分にはバリア駆動板９がバヨネット係合される。このとき、内側バリア板４，５の駆動アーム４ａ，５ａは、バリア駆動板９に係合する。そして、バリアコイルばね１０がバリア駆動板９の係止部９ａとバリア受地板８の突起８ｅの間に掛け渡される。
バリア駆動板９が図示しない部材によって回転を阻止されているときは、バリアコイルばね１０は伸びており、バリア駆動板９を引っ張っている状態である。この状態は、撮影レンズにバリア板が覆い被さりレンズ飾枠１の開口部からの光線を遮断し撮影レンズを保護している状態である。
【００１１】
カメラの電源等を入れると、バリア駆動板９は阻止の状態が解除されバリアコイルばね１０の引っ張り力により時計方向（開方向）に回転する。この回転により内側バリア板４，５の駆動アーム４ａ，５ａは押され、バリアばね６，７に抗して内側バリア板４，５は軸部８ａ，８ｂを中心に開放方向に回転する。この内側バリア板４，５の回転により外側バリア板２，３も同様に開放方向に回転し、撮影レンズの前面は開き、カメラは撮影スタンバイ状態となる。
カメラの使用を終了し電源等を切断すると、バリア駆動板９は反時計方向に回転させられ、これにより駆動アーム４ａ，５ａは解放されるため、内側バリア板４，５はバリアばね６，７の付勢力により閉じる方向に回転し、同様に外側バリア板２，３も閉じる。撮影レンズはバリア板により覆われ保護される。
なお、バリア駆動板のバリアコイルばね１０に抗して与えられる回転力は、レンズ鏡胴側の部材で与えることが可能である。
【００１２】
図２は、バリアの開閉動作を説明するための図で、（ａ）はバリア開放状態を，（ｂ）はバリア閉塞状態をそれぞれ示している。
外側バリア板２と３および内側バリア板４と５は同じ構成であるので、外側バリア板２および内側バリア板４のみを説明する。
鉈形状の外側バリア板２の回転軸（ビス１６）の近辺に突起２ａが、背中部分に立上部２ｂがそれぞれ設けられている。
【００１３】
一方、鉈形状の内側バリア板４の回転軸付近の側部に突起係合部４ａが、背中側部に立上部係合部４ｂが形成されている。内側バリア板４が時計方向に回転して閉じようとすると、突起係合部４ａが突起２ａを押し、同じ方向に外側バリア板２を回転させる。
内側バリア板４が反時計方向、すなわち開放方向に回転すると、内側バリア板４の立上部係合部４ｂは立上部２ｂを押し上げ、外側バリア板２を開放方向に回転させる。
【００１４】
図３は、バリア受地板とバリア駆動板の組み立て状態を説明するための背面斜視図である。
円環状のバリア受地板８の内側にバリア駆動板９がバヨネット係合している。バリア駆動板９がバリアコイルばね１０の引っ張り力によって反時計方向に回転すると、バリア駆動板９の一部が駆動アーム４ａを押し、バリア板を開放する。
【００１５】
図４は、本発明によるレンズバリア機構のＡ−Ａ断面図である。
内側バリア板４の駆動アーム４ａが直にバリア駆動板９に係合している。したがって、駆動アーム４ａの力の作用点が図５の従来例に比較し内側バリア板４に近くなるため、内側バリア板４の回転面に対する傾きが小さくなる。
また、バリア駆動板９の前面９ａはバリア受地板８の前面８ｆと同一面となっている。そのためユニット全体の厚さは図５に比較しバリア受地板の厚さ分だけ薄くなる。
【００１６】
【発明の効果】
以上、説明したように本発明は、バリア板が開く方向に回転習性が与えられている円環状のバリア駆動板，バリア駆動板の円環部の外周側であって、バリア駆動板の前面より突出しないようにバヨネット係合する円環状のバリア受地板，外側バリア板，外側バリア板と共通軸で回動可能であって、開閉方向に回動すると外側バリア板も連れて回動し、バリア駆動板に係合する駆動アームを有する内側バリア板，内側バリア板を閉じる方向に付勢し、バリア駆動板の回転習性の力より弱い回転習性を与えるバリアばね手段ならびにバリア駆動板，バリア受地板および内側，外側バリア板の一部を覆い隠すレンズ飾枠とを備えたものである。
したがって、レンズバリア機構のユニット全体の厚さを薄くできカメラの小形化に寄与できる。また、バリア板の傾きが小さくなるため無用な摩擦が生ぜずバリア板の開閉は円滑かつ確実となり、従来に増して信頼性の高いレンズバリア機構を実現できる。
【図面の簡単な説明】
【図１】本発明によるレンズバリア機構の実施の形態を示す図で、関連部品の展開斜視図である。
【図２】バリアの開閉動作を説明するための図で、（ａ）はバリア開放状態を，（ｂ）はバリア閉塞状態をそれぞれ示している。
【図３】バリア受地板とバリア駆動板の組み立て状態を説明するための背面斜視図である。
【図４】本発明によるレンズバリア機構のＡ−Ａ断面図である。
【図５】従来のレンズバリア機構の一部断面図である。
【図６】従来のレンズバリア機構のバリア受地板とバリア駆動板の関係を示す背面斜視図である。
【図７】従来のレンズバリア機構のバリア受地板とバリア駆動板の関係を示す前面斜視図である。
【符号の説明】
１，２２　レンズ飾枠
２，３　，２３　外側バリア板
４，５，２４　内側バリア板
６，７　バリアばね
８，２０　バリア受地板
９，２１　バリア駆動板
１０　バリアコイルばね
１１，１２，１６，１７　ビス
【図１】
2004012567.tif 000003
【図２】
2004012567.tif 000004
【図３】
2004012567.tif 000005
【図４】
2004012567.tif 000006
【図５】
2004012567.tif 000007
【図６】
2004012567.tif 000008
【図７】
2004012567.tif 000009